(57)【要約】【課題】長期使用によっても、安全弁を予め定められた規定圧力で高精度に開裂し得る構造が低コストに実現された二次電池用ケースを提供する。【解決手段】正極と負極と電解質とを内部に密封するケース本体１２よりも薄肉でドーム形状を呈する薄肉部２８を備えた安全弁１４を、ケース本体１２に対して、その内部に膨出するように設けると共に、安全弁１４の厚さ方向両方の面の互いに対応する部位に、ケース本体１２の内圧が予め設定された規定圧力となったときに開裂する開裂溝３２，３３をそれぞれ形成して、構成した。【選択図】図３
2014049398.tif 000002
【特許請求の範囲】
【請求項１】
正極と負極と電解質とを内部に密封するケース本体を有すると共に、該ケース本体の内圧が予め設定された規定圧力となったときに開裂して、該ケース本体の内圧を外部に放出する安全弁が、該ケース本体に設けられてなる二次電池用ケースであって、
前記安全弁が、前記ケース本体の内側に膨出したドーム形状を呈する、該ケース本体よりも薄肉の薄肉部を有して構成されていると共に、該ケース本体の内圧が前記規定圧力となったときに開裂する開裂溝が、該薄肉部の両面の厚さ方向に対応する部位に、それぞれ設けられていることを特徴とする二次電池用ケース。
【請求項２】
前記開裂溝の内面が、湾曲面にて構成されている請求項１に記載の二次電池用ケース。
【請求項３】
前記開裂溝の内面が、互いに異なる曲率半径を有する複数の湾曲面部分を、該開裂溝の幅方向に相互に連接してなる段付湾曲面にて構成されると共に、該複数の湾曲面部分の曲率半径が、該開裂溝の幅方向の中央部から該開裂溝の開口側に向かうに従って次第に大きくされている請求項２に記載の二次電池用ケース。
【請求項４】
請求項１乃至請求項３のうちの何れか１項に記載の二次電池用ケース内に、正極と負極と電解質とを密封して、構成したことを特徴とする二次電池。
【発明の詳細な説明】
【技術分野】
【０００１】
本発明は、二次電池用ケースと二次電池とに係り、特に、密閉型の二次電池に使用される二次電池用ケースの改良と、そのような二次電池用ケースを使用した二次電池の新規な構造とに関するものである。
【背景技術】
【０００２】
近年、ノート型パソコンや携帯電話等のポータブル電子機器には、軽量で、高速充電が可能なニッケル−カドミウム二次電池や、ニッケル−水素二次電池、リチウムイオン二次電池等が、電源として多用されている。また、それらの二次電池の中でも、特に、ニッケル−水素二次電池やリチウムイオン二次電池は、より高いエネルギー密度を有するところから、ハイブリッド車や電気自動車等の車載用高出力電源としても使用され始めてきている。
【０００３】
ところで、そのような二次電池は、ケース内に、正極と負極と電解質とが密封されてなる、所謂密閉型の構造とされているが、大電流の放電や過充電等によって、ケース内で多量のガスが発生することがある。このような場合には、ケース内の圧力が異常に上昇して、ケースが破裂する恐れがあり、非常に危険である。
【０００４】
そこで、従来の密閉型二次電池用のケースには、通常、正極と負極と電解質とを内部に密封するケース本体に安全弁が設けられている。この安全弁は、ケース本体内でのガスの発生により、ケース本体内の圧力が予め設定された規定圧力となったときに開弁して、ケース本体内のガス（内圧）を外部に放出可能な構造を有している。このような安全弁がケースに設けられることによって、ケースの破裂が未然に防止され得るようになっているのである。
【０００５】
そのような安全弁の一種として、破壊式の安全弁が知られている。この破壊式安全弁は、例えば、特開２００１−１８５１１３号公報（特許文献１）や特開２０１０−２８２８５１号公報（特許文献２）等に明らかにされるように、ケース本体よりも厚さの薄い薄肉平板からなり、ケース本体の一部を薄肉化して、ケース本体に一体形成されるか、或いはケース本体に設けられた開口部を閉鎖するように、ケース本体に固着されている。そして、ケース本体内の圧力が規定圧力以上となったときに開裂して（破壊されて）、ケース本体の内圧を外部に放出するようになっている。
【０００６】
このような破壊式の安全弁は、ケース本体に対して容易に且つ安価に設けることができるといった利点を有している。しかしながら、本発明者が、かかる破壊式の安全弁について、様々な角度から検討を加えたところ、破壊式安全弁が設けられる二次電池の種類によっては、長期使用により、作動精度が低下する可能性があることが明らかとなった。
【０００７】
すなわち、例えば、リチウムイオン二次電池等のケース本体に破壊式の安全弁を設ける場合には、長期使用によっても、作動精度が安定的に確保されて、安全弁が、予め定められた規定圧力で確実に開裂する。これに対して、例えば、ニッケル−水素二次電池等のケース本体に破壊式の安全弁を設けた場合には、使用期間が長期に亘った後に、ケース本体の内圧が異常に上昇すると、ケース本体の内圧が予め定められた規定圧力に達する前に、安全弁が開裂してしまう恐れがあることが、判明したのである。
【０００８】
これは、以下の理由によるものと考えられる。つまり、リチウムイオン二次電池では、正常な充放電時に、正極や負極でガスが発生することはなく、従って、通常の使用状態において、ケース本体内が、略一定の圧力に維持される。一方、ニッケル−水素二次電池では、充電末期の副反応によって正極で酸素ガスが発生する一方、そのような酸素ガスが負極で吸収されるようになっているため、充電が行われる度に、ケース本体内の圧力が変動する。このニッケル−水素二次電池のように、充電時や放電時に内圧変動が常態的に生ずる二次電池のケースに、薄肉平板からなる破壊式の安全弁を設けた場合には、二次電池の充電や放電が繰り返される毎に生ずるケース本体の内圧変動に基づいて、安全弁に対して、引張荷重が繰返し入力される。それ故、そのような内圧変動が生ずる二次電池の使用期間が長くなると、ケース本体に設けられた安全弁に、引張応力の繰返しの発生による疲労が蓄積して、安全弁の破壊強度（破断強度）が次第に低下していくようになる。このため、そのような二次電池において、長期の使用後に、ケース本体内で圧力が異常に上昇したときには、安全弁の破壊強度が低下しているが故に、ケース本体内が予め定められた規定圧力に達する前に、安全弁が、ケース本体の内圧に耐えられずに開裂してしまうことがあると考えられるのである。
【０００９】
なお、安全弁には、破壊式のものの他に、自己復帰式のものもある。この自己復帰式の安全弁は、例えば、上記した特開２００１−１８５１１３号公報に開示されるように、ケース本体に設けられた開口部を開閉する弁体と、この弁体を開口部の周辺部に密接させて、弁体による開口部の閉鎖状態を維持させるように、弁体に付勢力を及ぼすコイルばねやゴム等の弾性体とを有している。そして、ケース本体内の圧力が規定圧力以上となったときに、弁体が、弾性体の付勢力に抗して開作動して、ケース本体内で発生したガスを開口部から外部に排出するようになっている。また、そのようなガスの排出により、ケース本体内の圧力が規定圧力を下回ると、弁体が、弾性体の付勢力により、開口部を閉鎖する位置に復帰して、ケース本体内を再び密閉状態とするように構成されているのである。
【００１０】
このような自己復帰式の安全弁を、充電時や放電時に内圧変動が常態的に生ずる二次電池用のケースに設ければ、かかるケースに破壊式の安全弁を設けたときに生ずる前記した問題を有利に解消することができる。しかしながら、自己復帰式の安全弁は、破壊式の安全弁よりも構造が複雑で、部品点数も多いために極めて高価である。それ故、そのような自己復帰式の安全弁を二次電池用ケースに設ける場合には、二次電池用ケース、ひいては二次電池のコストが高騰するといった新たな問題が生ずることとなるのである。
【先行技術文献】
【特許文献】
【００１１】
【特許文献１】特開２００１−１８５１１３号公報
【特許文献２】特開２０１０−２８２８５１号公報
【発明の概要】
【発明が解決しようとする課題】
【００１２】
ここにおいて、本発明は、上記した事情を背景にして為されたものであって、その解決課題とするところは、使用期間が長期に亘っても、安全弁を予め定められた規定圧力で確実に開裂し得る構造が低コストに実現された密閉型の二次電池用ケースを提供することにある。また、本発明は、密閉型の二次電池において、使用期間が長期に亘っても、内圧の上昇によるケースの破裂を低コストに且つ確実に防止し得るように改良された構造を提供することをも、その解決課題とするものである。
【課題を解決するための手段】
【００１３】
そして、本発明にあっては、かかる課題の解決のために、正極と負極と電解質とを内部に密封するケース本体を有すると共に、該ケース本体の内圧が予め設定された規定圧力となったときに開裂して、該ケース本体の内圧を外部に放出する安全弁が、該ケース本体に設けられてなる二次電池用ケースであって、前記安全弁が、前記ケース本体の内側に膨出したドーム形状を呈する、該ケース本体よりも薄肉の薄肉部を有して構成されていると共に、該ケース本体の内圧が前記規定圧力となったときに開裂する開裂溝が、該薄肉部の両面の厚さ方向に対応する部位に、それぞれ設けられていることを特徴とする二次電池用ケースを、その要旨とするものである。
【００１４】
なお、本発明の有利な態様の一つによれば、前記開裂溝の内面が、湾曲面にて構成される。
【００１５】
また、本発明の好ましい態様の一つによれば、前記開裂溝の内面が、互いに異なる曲率半径を有する複数の湾曲面部分を、該開裂溝の幅方向に相互に連接してなる段付湾曲面にて構成されると共に、該複数の湾曲面部分の曲率半径が、該開裂溝の幅方向の中央部から該開裂溝の開口側に向かうに従って次第に大きくされることとなる。
【００１６】
さらに、本発明の望ましい態様の一つによれば、前記開裂溝が、一直線に延びる主溝部と、該主溝部に対して交差して延びる副溝部とにて構成される。
【００１７】
そして、本発明にあっては、前記した課題の解決のために、上記した二次電池用ケース内に、正極と負極と電解質とを密封して、構成したことを特徴とする二次電池をも、また、その要旨とするものである。
【発明の効果】
【００１８】
すなわち、本発明に従う二次電池用ケースにあっては、安全弁が、開裂溝が設けられた薄肉部を有する破壊式の構造をもって構成されている。これによって、例えば、自己復帰式の安全弁が設けられてなる二次電池用ケースに比して、低コスト化が有利に図られ得る。
【００１９】
そして、かかる二次電池用ケースにおいては、特に、安全弁の薄肉部が、ケース本体の内側に膨出したドーム形状を有している。それ故、例えば、二次電池の充電時や放電時にケース本体の内圧が上昇したときに、薄肉部が、ケース本体内の圧力に押されて、ケース本体の外側に向かって膨出するように変形するまでは、薄肉部の全体に、圧縮荷重のみが加えられる。これによって、ケース本体の内圧が、規定圧力に達しない大きさで変動を繰り返しても、安全弁の薄肉部において、常に、圧縮応力のみが発生するようになる。このため、本発明に係る二次電池用ケースでは、例えば、薄肉平板からなる破壊式安全弁が設けられた従来の二次電池用ケースとは異なって、ケース本体の繰返しの内圧変動により、安全弁の薄肉部において、引張応力の繰返しの発生による疲労が蓄積するようなことがなく、また、それ故に、長期使用により、安全弁が経年劣化して、その破壊強度が次第に低下していくようなことも効果的に回避され得る。
【００２０】
しかも、本発明に係る二次電池用ケースでは、開裂溝が、薄肉部の厚さ方向の両面の厚さ方向に対応する部位に、それぞれ設けられている。それ故、開裂溝を薄肉部の厚さ方向の一方の面のみに設ける場合に比して、薄肉部の一方の面に設けられた開裂溝の深さと、他方の面に設けられた開裂溝の深さを、それぞれ浅くできる。このため、例えば、金属製の薄肉部の所定部位をプレス加工により厚さ方向に圧縮し、塑性変形させることで、薄肉部に開裂溝を設ける場合に、薄肉部の一方の面における開裂溝の形成部位の塑性変形量と、他方の面における開裂溝の形成部位の塑性変形量とを、それぞれ、可及的に小さくできる。また、それにより、かかる薄肉部の両面にめっき層や塗膜層等の保護膜層が積層形成されている場合において、薄肉部のプレス加工時に、そのような保護膜層が、その内部に発生する引張応力によって損傷したり破損するようなことが効果的に防止され得る。そして、その結果として、保護膜層による開裂溝の内面の保護機能が安定的に確保され、これによっても、長期使用時に、安全弁、特に開裂溝の内面部分が経年劣化して、その破壊強度が徐々に低下していくようなことが極めて有利に防止され得る。
【００２１】
従って、本発明に従う二次電池用ケースにあっては、安全弁の形成コスト、ひいてはケースの製造コストが有利に低く抑えられ得ると共に、使用期間が長期に亘っても、安全弁の薄肉部が、予め定められた規定圧力で、精度よく、確実に開裂され得る。そして、それらの結果として、内圧の異常な上昇によるケース本体の破裂が、安価で且つ作動精度の高い安全弁の破壊により、十分に低いコストで確実に防止され得ることとなるのである。
【００２２】
そして、本発明に従う二次電池においても、上記した如き優れた特徴を有するケースが用いられているところから、使用期間が長期に亘っても、内圧の異常な上昇によるケースの破裂が、十分に低いコストで確実に且つ安定的に防止され得るのである。
【図面の簡単な説明】
【００２３】
【図１】本発明に従う構造を有する二次電池の一例を示す正面説明図である。
【図２】図１に示された二次電池の上面説明図である。
【図３】図２におけるIII−III断面の端面の部分拡大説明図である。
【図４】図３におけるIV−IV断面の部分端面説明図である。
【図５】図１に示された二次電池においてケース内の圧力が異常に上昇したときの安全弁の状態を説明するための、図４に対応する図であって、（ａ）は、安全弁の薄肉部がケースの外側に向かって膨出するように変形した状態を示し、（ｂ）は、薄肉部が開裂した状態を示している。
【図６】図４におけるVI部の拡大説明図である。
【図７】本発明に従う構造を有する二次電池の別の例を示す、図３に対応する図である。
【図８】本発明に従う構造を有する二次電池の更に別の例を示す、図６に対応する図である。
【図９】本発明に従う構造を有する二次電池の他の例を示す、図２に対応する図である。
【図１０】本発明に従う構造を有する二次電池の更に他の例を示す、図２に対応する図である。
【図１１】本発明に従う構造を有する二次電池の別の例を示す、図２に対応する図である。
【図１２】本発明に従う構造を有する二次電池の更に別の例を示す、図２に対応する図である。
【図１３】本発明に従う構造を有する二次電池の他の例を示す、図２に対応する図である。
【図１４】本発明に従う構造を有する二次電池の更に他の例を示す、図２に対応する図である。
【図１５】本発明に従う構造を有する二次電池の別の例を示す、図２に対応する図である。
【発明を実施するための形態】
【００２４】
以下、本発明を更に具体的に明らかにするために、本発明の実施の形態について、図面を参照しつつ、詳細に説明する。
【００２５】
先ず、図１及び図２には、本発明に従う構造を有する二次電池の実施形態としてのニッケル−水素二次電池が、その正面形態と上面形態とにおいて、それぞれ示されている。それら図１及び図２から明らかなように、本実施形態のニッケル−水素二次電池は、ケース１０を有している。図示されてはいないものの、かかるケース１０内には、従来品と同様に、正極と、負極と、それらの間に介装されたセパレータと、電解質としての電解液等が収容されて、密封されている。そして、本実施形態のニッケル−水素二次電池にあっては、そのようなケース１０が、従来には見られない特別な構造をもって構成されているのである。
【００２６】
より詳細には、ケース１０は、ケース本体１２と、ケース本体１２に設けられた安全弁１４とからなっている。また、ケース本体１２は、上方に向かって開口する長手矩形の筐体からなる収容部１６と、かかる収容部１６の上側開口部を覆蓋する蓋部１８とを有している。
【００２７】
ケース本体１２の収容部１６は、例えば、ニッケルめっき鋼板に対して、深絞り加工等のプレス加工を行って得られたプレス成形品等からなり、四つの側壁部分と一つの底壁部分とを有している。そして、この収容部１６内に、上記した正極と負極とセパレータと電解液等が、上側開口部を通じて収容されている。
【００２８】
蓋部１８は、ニッケルめっき鋼板を用いて形成された平板からなり、収容部１６の上側開口部の全体を覆蓋可能な長手矩形形状を有している。そして、この蓋部１８が、正極と負極とセパレータと電解液等が収容された収容部１６の上側開口部を覆蓋した状態で、例えばレーザ溶接等により、収容部１６に固着されている。
【００２９】
かくして、ケース本体１２が、収容部１６と蓋部１８の一体品として構成されており、そして、このケース本体１２の内部に、正極と負極とセパレータと電解液等が、密封されている。なお、そのようなケース本体１２の蓋部１８の長さ方向（図１及び図２の左右方向）の両端部側には、ケース本体１２内に密封された正極と負極とにそれぞれ接続した正極端子２０と負極端子２２とが貫通位置しており、それら正極及び負極端子２０，２２の上端部が、蓋部１８から上方に突出している。そして、ここでは、収容体１６が０．２〜０．４ｍｍ程度の厚さを有し、また、蓋体１８が０．２〜２．０ｍｍ程度の厚さを有している。これにより、ケース本体１２において、例えば２．５ＭＰａ程度の圧力に耐え得る耐圧性が確保されている。
【００３０】
また、図２乃至図４に示されるように、ケース本体１２においては、蓋部１８の長さ方向の中央部位に、かかる中央部位を貫通する開口部２４が設けられている。この開口部２４は、ここでは、蓋部１８の長さの１／３に満たない程度の長さと、蓋部１８の幅の半分程度の幅とを有する長手矩形形状を呈し、蓋部１８表面の面積に対して、十分に大きな開口面積を有している。
【００３１】
そして、そのようなケース本体１２の蓋部１８に設けられた開口部２４を完全に閉塞するように、安全弁１４が、蓋部１８に取り付けられているのである。
【００３２】
この安全弁１４は、収容部１６や蓋部１８よりも薄い一定の肉厚を有する長手矩形平板状のニッケルめっき鋼板を用いて形成されている。そして、かかる安全弁１４の外周部を除いた部分が、プレス成形等により、厚さ方向一方側に向かって湾曲状に膨出するように賦形されている。
【００３３】
かくして、安全弁１４の外周部が、蓋部１８の開口部２４よりも一周り大きな長手矩形の平板枠状形態を呈する取付枠部２６とされている一方、かかる取付枠部２６の内側部分が、全体として、安全弁１４の厚さ方向一方側に向かって膨らんだドーム形状を呈する、薄肉部としての膨出部２８とされている。即ち、膨出部２８は、安全弁１４の長さ方向（図３の左右方向）に延びる切断線によって切断した縦断面形状（図３に示される断面形状）と、安全弁１４の幅方向（図４の左右方向）に延びる切断線によって切断した縦断面形状（図４に示される断面形状）、更には、それら安全弁１４の長さ方向や幅方向に交差する方向に延びる切断線によって切断した縦断面形状が、全て、山形形状とされている。
【００３４】
なお、膨出部２８は、上記の如く、ケース本体１２の収容部１８や蓋部１８よりも薄肉で、その全体形状が、湾曲形態をもって、安全弁１４の厚さ方向の一方側に膨らんだドーム形状を有している必要があるが、その具体的形状は、特に限定されるものではない。即ち、安全弁１４の縦断面形状（膨出部２８の高さ方向において切断した断面形状）が、何れも、山形形状の他、例えば、円弧形状、半円形状、楕円の一部からなる形状、長円の一部からなる形状等、全体として、ケース本体１２の内側に向かって凸となり、且つ凹んだ部分を何等有しない湾曲形状となっておれば良いのである。そして、その中でも、安全弁１４の縦断面形状が、懸垂線を描く湾曲形状とされていることが望ましい。これにより、後述するように、ケース１０の内圧上昇に伴って、膨出部２８に対して、高さ方向の先端側から基端側に向かって圧力が加えられたときに、膨出部２８の内部に、圧縮応力だけが、より安定的に発生することとなるからである。
【００３５】
そして、このような安全弁１４が、蓋体１８の開口部２４を通じて、膨出部２８をケース本体１２の収容体１６の内側に向かって膨出乃至は突出させ、且つ取付枠部２６を、その全周に亘って、蓋体１８の上面（外面）における開口部２４の周辺部分に重ね合わせて、配置されている。また、そのような配置状態下で、取付枠部２６が、蓋体１８の開口部２４の周辺部分に対して、例えば、レーザ溶接等により、全周に亘って固着されている。更に、ここでは、かかる固着状態において、膨出部２８のうちの少なくとも膨出先端部分が、収容体１６内に突入配置されている（蓋体１８の内面の位置よりも収容体１６の内側に突出している）。これによって、安全弁１４の膨出部２８における各所の曲率半径が有利に小さくされると共に、膨出部２８の収容体１６内側への膨出量乃至は突出量（取付枠部２６の膨出部２８側の面から膨出部２８の先端までの高さ）が十分に確保され、以て、後述するように、ケース１０の内圧上昇時において、膨出部２８の内部に、圧縮応力だけを更に一層安定的に発生させることが可能となるといった利点が得られる。なお、膨出部２８の収容体１６内側への十分な膨出量乃至は突出量が確保されるならば、収容体１６内に何等突入することなく（蓋体１８の内面の位置から収容体１６の内側に突出することなく）、その全体が、開口部２４の内側に配置されていても良い。
【００３６】
かくして、蓋部１８の開口部２４が、安全弁１４にて流体密に封止されている。そして、ケース１０の側壁部が、ケース本体１２の収容部１６の四つの側壁部分にて構成されている一方、ケース１０の下側底壁部が、ケース本体１２の底壁部分にて、また、ケース１０の上側底壁部が、ケース本体１２の蓋部１８と、この蓋部１８の開口部２４を封止する安全弁１４の膨出部２８とにて、それぞれ構成されている。
【００３７】
これにより、本実施形態のニッケル−水素二次電池では、ケース１０の側壁部と両側底壁部うち、収容部１６や蓋部１８よりも薄肉の安全弁１４の膨出部２８にて構成された上側底壁部の一部分の破壊強度が、収容部１６や蓋部１８にて構成されたケース１０の側壁部や底壁部の破壊強度よりも低く設定されている。しかしながら、ここでは、そのような安全弁１４の膨出部２８が、収容部１６内に膨出乃至は突出するドーム形状を呈している。それ故、蓋部１８の取付部分の内側部位が平板形状とされた従来の安全弁とは異なって、ケース１０の内圧変動が繰返し生じても、それによって、安全弁１４、特に膨出部２８の破壊強度が徐々に低下していくことが有利に防止され得るようになっている。
【００３８】
すなわち、本実施形態のニッケル−水素二次電池においては、充電末期に正極で酸素ガスが発生して、ケース１０の内圧が上昇したときに、図３及び図４に白抜きの矢印で示されるように、ケース本体１２の収容部１６と蓋部１８の内面に所定の圧力が加えられると共に、蓋部１８の開口部２４を閉塞する安全弁１４の膨出部２８の内側面２９（収容部１６の内側に露呈する面）に対しても、膨出部２８の高さ方向の先端側から基端側に向かって所定の圧力が加えられる。そして、その際、膨出部２８が、収容部１６の内側に向かって凸となるドーム形状、つまり、ケース１０の内圧上昇に伴う加圧方向に抗する方向（加圧方向とは反対側の方向）に向かって凸となるドーム形状を有しているために、膨出部２８の内部には圧縮応力のみが発生する。それ故、かかる膨出部２８を有する安全弁１４では、蓋部１８の取付部分の内側部位が平板形状とされた従来の安全弁とは異なって、充電が行われる毎に、安全弁１４内部で引張応力が繰返し発生することがなく、従って、安全弁１４、特に膨出部２８に、引張応力による疲労が蓄積して、その破壊強度が徐々に低下していくようなことが、完全に解消され得るようになっているのである。
【００３９】
そして、そのような安全弁１４の膨出部２８においては、収容部１６の内部に露呈して、ケース１０の内圧上昇時に加圧される内側面２９に、内側開裂溝３２が、また、蓋部１８上で外部に露出される外側面３０に対して、外側開裂溝３３が、膨出部２８の厚さ方向において互いに対応位置するように、それぞれ設けられている。これによって、膨出部２８のうちで、内側開裂溝３２と外側開裂溝３３にて挟まれた部位（内側開裂溝３２と外側開裂溝３３の各底部部位）が、その他の部位よりも更に破壊強度が小さくされている。
【００４０】
かくして、本実施形態のニッケル−水素二次電池においては、充電時に生ずる酸素ガス量よりも多量のガスが、ケース１０内で、例えば、大電流の放電や過充電等により発生し、ケース１０の内圧が異常に上昇して、ケース本体１２の収容部１６と蓋部１８のそれぞれの内面に対して、通常の充電時よりも極めて大きな圧力が加えられると共に、安全弁１４の膨出部２８の内側面２９に対しても、収容部１６と蓋部１８に対する圧力と同様な極めて大きな圧力が加えられたときに、先ず、図５の（ａ）に示されるように、膨出部２８が、収容部１６内に向かって膨出乃至は突出した形状（収容部１６内に向かって凸となるドーム形状）から、収容部１６の外側に向かって膨出乃至は突出した形状（収容部１６外に向かって凸となるドーム形状）に変形する。
【００４１】
次いで、図５の（ｂ）に示されるように、膨出部２８が変形した直後に、或いはそれと殆ど同時に、膨出部２８のうちの内側開裂溝３２と外側開裂溝３３の底部部位が、膨出部２８に加えられる圧力に耐えられなくなって破断する。即ち、膨出部２８が、内側及び外側開裂溝３２，３３を起点として開裂する。これにより、ケース１０内のガスが、膨出部２８の開裂部分からケース１０の外部に放出されるようになっているのである。
【００４２】
なお、ここでは、前記したように、ケース本体１２が２．５ＭＰａ程度の圧力に耐え得る耐圧性を有しているため、ケース本体１２（ケース１０）の内圧が、かかる圧力よりも低い、例えば２．０ＭＰａとなったときに、安全弁１４の膨出部２８が開裂溝３２にて開裂するようになっている。換言すれば、安全弁１４の膨出部２８が開裂溝３２にて開裂するときのケース１０（ケース本体１２）の規定圧力が、ケース本体１２が耐え得る圧力よりも低い２．０ＭＰａ程度に設定されているのである。
【００４３】
そして、本実施形態では、図２に示されるように、外側開裂溝３３が、膨出部２８の外側面３０の中心部分において、長手矩形の安全弁１４の長さ方向（図２の左右方向）に一直線に延びる１本の主溝部３４を有している。また、この主溝部３４の長さ方向の一端部からは、二つの副溝部３５ａ，３５ｂが、安全弁１４の幅方向（図２の上下方向）の両側に向かって、それぞれ斜めに一直線に延び出している。更に、主溝部３４の長さ方向の他端部からは、二つの副溝部３５ｃ，３５ｄが、安全弁１４の幅方向の両側に向かって、それぞれ斜めに一直線に延び出している。
【００４４】
すなわち、外側開裂溝３３は、一直線に延びる主溝部３４と、この主溝部３４に対して交差して延びる四つの副溝部３５ａ，３５ｂ，３５ｃ，３５ｄとからなっている。そして、それら四つの副溝部３５ａ，３５ｂ，３５ｃ，３５ｄのうち、主溝部３４の長さ方向一端部から延びる二つの副溝部３５ａ，３５ｂは、主溝部３４の長さ方向一方側（図２の右側）に延びる延長線に対して、鋭角な角度で、それぞれ交差している。一方、主溝部３４の長さ方向他端部から延びる二つの副溝部３５ｃ，３５ｄは、主溝部３４の長さ方向他方側（図２の左側）に延びる延長線に対して、鋭角な角度で、それぞれ交差している。
【００４５】
また、ここでは、主溝部３４の長さ方向の一端部から延びる二つの副溝部３５ａ，３５ｂが、主溝部３４の長さ方向一方側に延びる延長線に関して対称に位置している。主溝部３４の長さ方向の他端部から延びる二つの副溝部３５ｃ，３５ｄは、主溝部３４の長さ方向他方側に延びる延長線に関して対称に位置している。更に、四つの副溝部３５ａ，３５ｂ，３５ｃ，３５ｄのうち、安全弁１４の幅方向一方側（図２の上側）に向かって斜めに延びる二つの副溝部３５ａ，３５ｃは、主溝部３４の長さ方向の中心点を通って、主溝部３４に直交して、主溝部３４の幅方向に延びる直線に関して対称に位置していると共に、安全弁１４の幅方向他方側（図２の下側）に向かって斜めに延びる二つの副溝部３５ｂ，３５ｄも、主溝部３４の長さ方向の中心点を通って、主溝部３４に直交して、主溝部３４の幅方向に延びる直線に関して対称に位置している。
【００４６】
また、図示されてはいないものの、内側開裂溝３２は、膨出部２８の内側面２９のうち、外側面３０の外側開裂溝３３の形成部位と対応する部位に、外側開裂溝３３と同一の構造と同じ形状とをもって形成されている。即ち、内側開裂溝３２も、外側開裂溝３３と同様に、安全弁１４の長さ方向に一直線に延びる主溝部３４と、主溝部３４の長さ方向両端から、主溝部３４の幅方向の両側に向かってそれぞれ斜めに延び出す四つの副溝部３５ａ，３５ｂ，３５ｃ，３５ｄとからなっている。そして、内側開裂溝３２の主溝部３４が、外側開裂溝３３の主溝部３４に対して、膨出部２８の厚さ方向に対応した位置において、同様な形状で延びる形態を有している。また、内側開裂溝３２の四つの副溝部３５ａ，３５ｂ，３５ｃ，３５ｄも、外側開裂溝３３の四つの副溝部３５ａ，３５ｂ，３５ｃ，３５ｄに対して、膨出部２８の厚さ方向に対応した位置において、それぞれ、同様な形状で延びる形態を有している。
【００４７】
これによって、膨出部２８の幅方向一方側の部分のうち、外側開裂溝３３と内側開裂溝３２の各主溝部３４，３４と、それらの両端からそれぞれ延びる副溝部３５ａ，３５ａ，３５ｃ，３５ｃとにて囲まれた部位や、膨出部２８の幅方向他方側の部分のうち、外側開裂溝３３と内側開裂溝３２の各主溝部３４，３４と、それらの両端からそれぞれ延びる副溝部３５ｂ，３５ｂ，３５ｄ，３５ｄとにて囲まれた部位、膨出部２８の長さ方向一方側の部分のうち、外側開裂溝３３と内側開裂溝３２の各主溝部３４，３４の長さ方向一端からそれぞれ延びる副溝部３５ａ，３５ａ，３５ｂ，３５ｂにて囲まれた部位、膨出部２８の長さ方向他方側の部分のうち、外側開裂溝３３と内側開裂溝３２の各主溝部３４，３４の長さ方向他端からそれぞれ延びる副溝部３５ｃ，３５ｃ，３５ｄ，３５ｄにて囲まれた部位が、外側開裂溝３３と内側開裂溝３２の開裂時に、ケース１０の外側に向かって、それぞれ、バランス良く捲れ上がるようになる。その結果、外側開裂溝３３と内側開裂溝３２が開裂したときに形成される開口部の面積が、より十分に大きくされ、以て、そのような開口部から、ケース１０内のガスが、より迅速に且つ効率的にケース１０外に放出され得るようになっている。
【００４８】
また、外側開裂溝３３と内側開裂溝３２は、何れも、主溝部３４と副溝部３５ａ，３５ｂ，３５ｃ，３５ｄの区別なく、延出方向のどの部分においても同じ内面形状を有している。即ち、外側開裂溝３３と内側開裂溝３２のそれぞれの主溝部３４，３４の縦断面を示す図６から明らかなように、ここでは、外側開裂溝３３の内面と内側開裂溝３２の内面が、何れも、複数の湾曲面部分を外側及び内側開裂溝３３，３２の幅方向に連接してなる段付湾曲面にて構成されている。
【００４９】
より具体的には、外側開裂溝３３は、その内面が、外側開裂溝３３の幅方向の中央部（幅方向の内側）に位置する、円弧面からなる中央内面部分３６と、この中央内面部分３６を間に挟んで幅方向両側（外側開裂溝３３の開口側の両サイド）にそれぞれ位置して、中央内面部分３６における外側開裂溝３３の幅方向両端にそれぞれ連接する、円弧面からなる第一開口側内面部分３８及び第二開口側内面部分４０とからなっている。そして、第一開口側内面部分３８の曲率半径：Ｒ1 と第二開口側内面部分４０の曲率半径：Ｒ2 とが、互いに同一の大きさとされている一方、中央内面部分３６の曲率半径：Ｒ3 が、第一開口側内面部分３８の曲率半径：Ｒ1 及び第二開口側内面部分４０の曲率半径：Ｒ2 よりも小さな大きさとされている。
【００５０】
一方、内側開裂溝３２の内面は、外側開裂溝３３の内面と同様な構造とされている。即ち、内側開裂溝３２の内面も、円弧面からなる中央内面部分４２と、この中央内面部分４２を間に挟んで幅方向両側に位置する、円弧面からなる第一開口側内面部分４４及び第二開口側内面部分４６とから構成されている。そして、第一開口側内面部分４４の曲率半径：Ｒ4 と第二開口側内面部分４６の曲率半径：Ｒ5 とが、互いに同一の大きさとされている一方、中央内面部分４２の曲率半径：Ｒ6 が、第一開口側内面部分４４の曲率半径：Ｒ4 及び第二開口側内面部分４６の曲率半径：Ｒ5 よりも小さな大きさとされている。
【００５１】
また、ここでは、外側開裂溝３３の第一及び第二開口側内面部分３８，４０のそれぞれの曲率半径：Ｒ2、Ｒ3と、内側開裂溝３２の第一及び第二開口側内面部分４４，４６のそれぞれの曲率半径：Ｒ4、Ｒ5とが、互いに同じ大きさとされている。更に、外側開裂溝３３の中央内面部分３６の曲率半径：Ｒ3 と、内側開裂溝３２の中央内面部分４２の曲率半径：Ｒ6 とが、互いに同じ大きさとされている。しかしながら、それらの曲率半径：Ｒ2 、Ｒ3 と曲率半径：Ｒ4、Ｒ5とが、互いに異なる大きさとされ、また、曲率半径：Ｒ3 と曲率半径：Ｒ6 とが、互いに異なる大きさとされていても、何等差し支えない。
【００５２】
要するに、外側開裂溝３３と内側開裂溝３２のそれぞれの内面は、何れも、中央内面部分３６，４２と第一及び第二開口側内面部分３８，４０，４４，４６の三つの部分からなる段付湾曲面形状を呈しており、そして、それら外側及び内側開裂溝３３，３２の内面の曲率半径：Ｒ3、Ｒ1、Ｒ2、Ｒ6、Ｒ4、Ｒ5、が、外側及び内側開裂溝３３，３２の幅方向の中央部よりも開口側の方が大きくされているのである。なお、このように、外側開裂溝３３と内側開裂溝３２のそれぞれの内面を段付湾曲面形状とする場合にあっても、中央内面部分３６，４２と第一及び第二開口側内面部分３８，４０，４４，４６が、必ずしも円弧面とされている必要はなく、膨出部２８の厚さ方向中心に向かって凸となる、円弧面以外の湾曲面とされていても良い。
【００５３】
かくして、本実施形態のニッケル−水素二次電池では、ケース１０の内圧が異常に上昇して、安全弁１４の膨出部２８に通常状態よりも大きな圧力が加えられたときに、特に、外側開裂溝３３の主溝部３４の内面と内側開裂溝３２の主溝部３４の内面とにて挟まれた膨出部２８部位（各主溝部３４の底部部位）において、より確実に且つ安定的に応力集中が生じるようになっている。そして、それにより、ケース１０の内圧が、前記した規定圧力となったときに、膨出部２８が、外側開裂溝３３と内側開裂溝３２の形成部位において、より高い精度で確実に開裂するようになっている。
【００５４】
なお、そのように、ケース１０の内圧が規定圧力となったときに、膨出部２８の外側開裂溝３３と内側開裂溝３２の形成部位を精度よく正確に開裂させるためには、外側及び内側開裂溝３３，３２における主溝部３４と各副溝部３５ａ〜３５ｄの第一及び第二開口側内面部分３８，４０，４４，４６の曲率半径：Ｒ1、Ｒ2、Ｒ4、Ｒ5と中央内面部分３６，４２の曲率半径：Ｒ3、Ｒ6とが、何れも１．０ｍｍ以下とされていることが望ましい。また、それら第一及び第二開口側内面部分３８，４０，４４，４６の曲率半径：Ｒ1、Ｒ2、Ｒ4 、Ｒ5 と中央内面部分３６，４２の曲率半径：Ｒ3、Ｒ6が１．０ｍｍを超える場合には、例えば、外側及び内側開裂溝３３，３２をプレス加工によって形成する際に、より大きなプレス圧が必要となって、外側及び内側開裂溝３３，３２の形成に要する設備の大型化や高コスト化を招くといった問題が生ずる。それの点からしても、外側及び内側開裂溝３３，３２における第一及び第二開口側内面部分３８，４０，４４，４６の曲率半径：Ｒ1、Ｒ2、Ｒ4 、Ｒ5と中央内面部分３６，４２の曲率半径：Ｒ3、Ｒ6とが、何れも１．０ｍｍ以下とされていることが望ましいのである。なお、それらの曲率半径：Ｒ1、Ｒ2、Ｒ3、Ｒ4、Ｒ5、Ｒ6、は、より望ましくは、０．０７ｍｍ以下である。
【００５５】
また、外側及び内側開裂溝３３，３２における第一及び第二開口側内面部分３８，４０，４４，４６の曲率半径：Ｒ1、Ｒ2、Ｒ4、Ｒ5と中央内面部分３６，４２の曲率半径：Ｒ3、Ｒ6は、何れも０．０１ｍｍ以上とされていることが好ましい。何故なら、曲率半径：Ｒ1 、Ｒ2、Ｒ3、Ｒ4、Ｒ5、Ｒ6 が０．０１ｍｍ未満の湾曲面からなる中央内面部分３６，４２と第一及び第二開口側内面部分３８，４０，４４，４６を有する外側及び内側開裂溝３３，３２を、例えば、安全弁１４の被加工材料たるニッケルめっき鋼板をプレス加工して得る際には、破断が生ずる可能性が高くなって、外側及び内側開口溝３３，３２を安定的に得ることが困難となる恐れがあるからである。また、ニッケルめっき鋼板に対するプレス加工によって外側及び内側開裂溝３３，３２を確実に形成するには、第一及び第二開口側内面部分３８，４０，４４，４６の曲率半径：Ｒ1、Ｒ2、Ｒ4、Ｒ5と中央内面部分３６，４２の曲率半径：Ｒ3、Ｒ6とが０．０５ｍｍ以上とされていることが、より好ましい。なお、中央内面部分３６，４２の曲率半径：Ｒ3、Ｒ6と、第一及び第二開口側内面部分３８，４０，４４，４６の曲率半径：Ｒ1、Ｒ2、Ｒ4、Ｒ5のそれぞれの大きさに拘わらず、前者が後者よりも小さくされている必要がある。
【００５６】
以上の説明から明らかなように、本実施形態のニッケル−水素二次電池にあっては、安全弁１４が、薄肉で、外側開裂溝３３と内側開裂溝３２が設けられた膨出部２８を有し、、ケース１０内の圧力が規定圧力となったときに、かかる膨出部２８が開裂する破壊式構造を有している。それ故、例えば、安全弁１４を自己復帰式構造をもって構成する場合に比して、安全弁１４の低コスト化、ひいてはニッケル−水素二次電池全体の低コスト化が有利に図られ得る。
【００５７】
また、かかるニッケル−水素二次電池では、安全弁１４の膨出部２８が、ケース本体１２の内側に膨出乃至は突出するドーム形状を有していることにより、ケース本体１２の内圧の繰返し変動によっても、膨出部２８の破壊強度が、使用開始当初の設定よりも徐々に低くなっていくことがない。従って、本実施形態のニッケル−水素二次電池にあっては、使用期間が長くなっても、安全弁１４の膨出部２８が、経年劣化することなく、予め定められた規定圧力で、精度よく、確実に開裂され得る。
【００５８】
従って、本実施形態のニッケル−水素二次電池にあっては、内圧の異常な上昇によるケース本体１０の破裂が、安価で且つ作動精度の高い安全弁の破壊により、十分に低いコストで確実に防止され得ることとなるのである。
【００５９】
また、本実施形態のニッケル−水素二次電池においては、膨出部２８の所定部位を厚さ方向両側からプレス圧縮加工して、外側面３０と内側面２９の両方を凹ませることにより、膨出部２８の外側面３０と内側面２９に対して、外側開裂溝３３と内側開裂溝３２とが、膨出部２８の厚さ方向において互いに対応する位置に形成されている。例えば、膨出部２８の外側面３０と内側面２９のうちの一方だけをプレス圧縮加工により凹ませて、外側開裂溝３３と内側開裂溝３２のうちの何れか一方のみを設ける場合に比して、外側開裂溝３３と内側開裂溝３２の深さを、それぞれ、有利に浅くできる。このため、膨出部２８における外側開裂溝３３と内側開裂溝３２の形成部位の塑性変形量を、それぞれ効果的に小さくできる。これにより、膨出部２８の表面に形成されたニッケルめっき層が、外側開裂溝３３や内側開裂溝３２のプレス加工による形成時に、ニッケルめっき層の内部に発生する引張応力によって損傷したり、破損したりするようなことが、効果的に防止され得る。
【００６０】
従って、かくの如き本実施形態のニッケル−水素二次電池にあっては、ニッケルめっき層による外側及び内側開裂溝３３，３２の各内面部分３６，３８，４０，４２，４４，４６の保護機能が安定的に確保される。そして、これによっても、長期使用時に、安全弁１４、特に外側及び内側開裂溝３３，３２の各内面部分３６，３８，４０，４２，４４，４６が経年劣化して、その破壊強度が徐々に低下していくようなことが極めて有利に防止され、その結果、安全弁１４の高い作動精度が、より一層安定的に確保され得るのである。
【００６１】
また、かかるニッケル−水素二次電池では、外側及び内側開裂溝３３，３２の内面形状が、何れも湾曲面形状とされている。このため、例えば、外側及び内側開裂溝３３，３２の内面形状が、角張った部位を有する縦断面多角形状とされる場合とは異なって、外側及び内側開裂溝３３，３２の内面の一部に応力集中が生じることにより、膨出部２８が開裂するときの圧力の値にバラツキが発生するようなことが、有利に防止され得る。
【００６２】
以上、本発明の具体的な構成について詳述してきたが、これはあくまでも例示に過ぎないのであって、本発明は、上記の記載によって、何等の制約をも受けるものではない。
【００６３】
例えば、前記実施形態では、安全弁１４が、ケース本体１２とは独立した別部材からなっていたが、安全弁１４をケース本体１８に対して一体成形しても良い。
【００６４】
すなわち、例えば、図７に示されるように、ケース本体１２の蓋部１８の中央部分に対して、プレス加工等による圧縮加工を施して、かかる中央部分を、それ以外の部分よりも薄肉化し、それによって、蓋部１８の中央部分に、薄肉の破壊式の安全弁１４を形成しても良い。また、図示されてはいないものの、ケース本体１２の収容部１６の四つの側壁部分と一つの底壁部分のうちの何れかの一部に対して、プレス加工等による圧縮加工を施して、かかる一部分を薄肉化することにより、安全弁１４をケース本体１２の収容部１６に一体形成することも可能である。
【００６５】
このように、安全弁１４をケース本体１２に一体成形する場合にあっても、安全弁１４の中央部位に対して、例えばプレス加工等を施すことにより、かかる中央部位に、ケース本体１２の内側に向かって膨出乃至は突出するドーム状の膨出部２８が形成されることとなる。これにより、本実施形態にあっても、前記実施形態において奏される作用・効果と実質的に同一の作用・効果が、有効に享受され得ることとなる。なお、図７に示される実施形態、更には、図８乃至図１５に示される幾つかの実施形態に関しては、前記第一の実施形態と同様な構造とされた部材及び部位について、図１乃至図６と同一の符号を付すことにより、それらの詳細な説明を省略する。
【００６６】
さらに、ケース本体１２の収容部１６の四つの側壁部分と一つの底壁部分のうちの何れかに開口部２４を形成し、この開口部２４を流体密に封止するように、安全弁１４を収容部１６に対して、例えば、レーザ溶接等により固着しても良い。
【００６７】
また、図７から明らかなように、安全弁１４を蓋部１８に一体成形する場合には、蓋部１８の内面と安全弁１４の内側面２９とが、それらの間に段差や凹部が存在しないように、滑らかに連接されていることが望ましい。つまり、例えば、蓋部１８の中央部位をプレス加工により薄肉化して、安全弁１４を形成する場合には、蓋部１８の外面のみを凹陥させるプレス加工を行うことが好ましいのである。それによって、ケース本体１２の内圧が異常に上昇したときに、安全弁１４の蓋部１８との境界部位で応力集中が生ずることが未然に防止され、以て、例えば、ケース本体１２の内圧が規定圧力に達する前に、安全弁１４と蓋部１８との境界部位で破断が生ずることが、効果的に防止され得る。そして、その結果として、ケース本体１２の内圧が規定圧力となったときに、より高い精度で、安全弁１４の膨出部２８を開裂させることが可能となるのである。
【００６８】
さらに、膨出部２８に設けられる外側開裂溝３３と内側開裂溝３２のそれぞれの内面形状も、何等限定されるものではない。即ち、例えば、図８に示されるように、外側及び内側開裂溝３３，３２のそれぞれの幅方向の中央部に位置して、外側及び内側開裂溝３３，３２の底部を構成する中央内面部分４８，５０を、湾曲面や円弧面にて構成する一方、かかる中央内面部分４８を間に挟んで幅方向両側にそれぞれ位置して、中央内面部分４８，５０の幅方向両端にそれぞれ連接する第一開口側内面部分５２，５４と第二開口側内面部分５６，５８とを、外側及び内側開裂溝３３，３２の開口側に向かって互いに離間する方向に傾斜する傾斜面にて、それぞれ構成しても良いのである。
【００６９】
このような内面形状を有する外側開裂溝３３と内側開裂溝３２を膨出部２８に形成する場合には、外側及び内側開裂溝３３，３２のそれぞれの中央内面部分４８，５０の曲率半径：Ｒ7、Ｒ8が０．０１〜１．０ｍｍ程度の範囲内の値とされていることが望ましく、０．０５〜０．０７ｍｍ程度の範囲内の値とされていることが、更に望ましい。この理由は、前記した理由と同じである。また、外側開裂溝３３の第一開口側内面部分５２と第二開口側内面部分５６とのなす角の大きさ：θ1 と、内側開裂溝３２の第一開口側内面部分５４と第二開口側内面部分５８とのなす角の大きさ：θ2 とが、それぞれ、４５〜１２０度とされていることが好ましい。何故なら、それらのなす角：θ1、θ2の大きさが１２０度よりも大きい場合には、ケース１０の内圧が規定圧力となったときに、膨出部２８の外側及び内側開裂溝３３，３２を高い精度で開裂させることが難しくなる可能性があるだけでなく、外側及び内側開裂溝３３，３２を、例えば、膨出部２８に対するプレス加工によって形成する際に、極めて大きなプレス圧が必要となって、外側及び内側開裂溝３３，３２の形成に要する設備の大型化や高コスト化を招く恐れがあるからである。また、それらのなす角：θ1、θ2の大きさが４５度よりも小さい場合には、外側及び内側開裂溝３３，３２を、例えば、膨出部２８に対するプレス加工によって形成する際に、破断が生ずる可能性が高くなって、外側及び内側開裂溝３３，３２を安定的に得ることが困難となる恐れがあるからである。
【００７０】
さらに、外側及び内側開裂溝３３，３２の内面が、互いに異なる曲率半径を有する三つ以上の複数の湾曲面部分を、外側及び内側開裂溝３３，３２の幅方向に相互に連接してなる段付湾曲面にて構成されていても良い。そして、それら三つ以上の湾曲面部分の曲率半径が、外側及び内側開裂溝３３，３２の幅方向の中央部から外側及び内側開裂溝３３，３２の開口側に向かうに従って次第に大きくなるように構成されていても良いのである。
【００７１】
また、外側及び内側開裂溝３３，３２の形状や構造は、種々変更可能である。即ち、例えば、図９に示されるように、主溝部３４の長さ方向一端部から中央部側に所定寸法偏倚した部分と、長さ方向他端部から中央部側に所定寸法偏倚した部分とから、四つの副溝部３５ａ，３５ｂ，３５ｃ，３５ｄを、主溝部３４の幅方向（安全弁１４の幅方向であって、図９の上下方向）の両側に向かって、それぞれ斜めに延び出させて、外側開裂溝３３（内側開裂溝３２）を構成しても良い。なお、図９と、後述する図１０乃至図１５には、幾つかの実施形態における外側開裂溝３３の形状のみを示すが、それらの実施形態では、図示しない内側開裂溝３２も、外側開裂溝３３と同一の形状を有していることが理解されるべきである。
【００７２】
さらに、図１０に示されるように、四つの副溝部３５ａ，３５ｂ，３５ｃ，３５ｄを、主溝部３４の幅方向の両側に向かって、それぞれ、主溝部３４の長さ方向中央側に凸となる湾曲形態をもって延び出させて、外側開裂溝３３（内側開裂溝３２）を構成しても良い。勿論、四つの副溝部３５ａ，３５ｂ，３５ｃ，３５ｄを、主溝部３４の長さ方向中央側に凹となる湾曲形態をもって延び出させて、外側開裂溝３３（内側開裂溝３２）を構成することもできる。
【００７３】
また、図１１に示されるように、四つの副溝部３５ａ，３５ｂ，３５ｃ，３５ｄを、主溝部３４の長さ方向両端部から、それぞれ、主溝部３４の幅方向両側に向かって、主溝部３４に対して直角に延び出させて、外側開裂溝３３（内側開裂溝３２）を構成しても良い。
【００７４】
さらに、図１２に示されるように、主溝部３４の長さ方向一端部から、一つの副溝部３５ａだけを主溝部３４の幅方向一方側（図１２の上側）に向かって斜めに延び出させる一方、主溝部３４の長さ方向他端部から、一つの副溝部３５ｂだけを主溝部３４の幅方向他方側（図１２の下側）に向かって斜めに延び出させて、外側開裂溝３３（内側開裂溝３２）を構成することも可能である。
【００７５】
更にまた、図１３に示されるように、外側開裂溝３３（内側開裂溝３２）を、安全弁１４の長さ方向に一直線に延びる一つの主溝部３４のみにて構成しても良い。
【００７６】
また、図１４に示されるように、安全弁１４の長さ方向に一直線に延びる第一の主溝部３４ａと、安全弁１４の幅方向に一直線に延びる第二の主溝部３４ｂとを、それぞれの延出方向の中心部において互いに交差するように形成して、外側開裂溝３３（内側開裂溝３２）を構成することもできる。
【００７７】
さらに、図１５に示されるように、安全弁１４の長さ方向と幅方向の両方向に交差する方向において一直線に延びる第一の主溝部３４ａと、安全弁１４の長さ方向と幅方向と第一の主溝部３４ａの延出方向の全ての方向に交差する方向において一直線に延びる第二の主溝部３４ｂとを、それぞれの延出方向の中心部において互いに交差するように形成して、外側開裂溝３３（内側開裂溝３２）を構成することもできる。
【００７８】
また、安全弁１４の全体の形状は、例示された長手矩形状に何等限定されるものではなく、例えば、ケース本体１２に設けられて、安全弁１４にて封止される開口部２４の形状等に応じて、適宜に変更可能である。即ち、安全弁１４の全体形状を、例えば、正方形状や、円形状、長円形状、楕円形状等としても、何等差し支えないのである。
【００７９】
さらに、ケース１０の全体形状も、種々変更可能であり、例えば、ケース１０の全体形状が円筒形状とされていても良い。
【００８０】
更にまた、ケース本体１２の収容部１６や蓋部１８の材質、或いは安全弁１４の材質は、例えば、二次電池の種類等に応じて、適宜に変更可能である。従って、ケース本体１２や安全弁１４は、例示したニッケルめっき鋼板の他、例えば、アルミニウム（純アルミニウムとアルミニウム合金とを含む）や、ニッケル、鉄、ステンレス等の金属材料によっても形成可能である。
【００８１】
加えて、前記した幾つかの実施形態では、本発明を、ニッケル−水素二次電池と、ニッケル−水素二次電池用ケースに適用したものの具体例を示したが、本発明は、ニッケル−水素二次電池以外の二次電池と、それらの二次電池用のケースの何れに対しても、有利に適用され得るものであることは、勿論である。
【００８２】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００８３】
１０  ケース                          １２  ケース本体
１４  安全弁                          １６  収容部
１８  蓋部                            ２４  開口部
２８  膨出部                          ３２  内側開裂溝
３３  外側開裂溝
【図１】
2014049398.tif 000003
【図２】
2014049398.tif 000004
【図３】
2014049398.tif 000005
【図４】
2014049398.tif 000006
【図５】
2014049398.tif 000007
【図６】
2014049398.tif 000008
【図７】
2014049398.tif 000009
【図８】
2014049398.tif 000010
【図９】
2014049398.tif 000011
【図１０】
2014049398.tif 000012
【図１１】
2014049398.tif 000013
【図１２】
2014049398.tif 000014
【図１３】
2014049398.tif 000015
【図１４】
2014049398.tif 000016
【図１５】
2014049398.tif 000017